(57)【要約】  本発明は、染料ベースのインクジェット・インクセットに、より具体的には少なくとも６つの異なる色に着色したインクのインクセットに関する。インクセットには、少なくともシアン、マゼンタ、黄、赤、青および緑インクが含まれる。【特許請求の範囲】
【請求項１】
（ａ）色がシアンであり、そして約１８０〜約２５０の色相角を有する第１の水性染料ベースのインク、
（ｂ）色が黄であり、そして約７０〜約１２０の色相角を有する第２の水性染料ベースのインク、
（ｃ）色がマゼンタであり、そして約３２０〜約１０の色相角を有する第３の水性染料ベースのインク、
（ｄ）色が青であり、そして約２５０〜約３２０の色相角を有する第４の水性染料ベースのインク、
（ｅ）色が赤であり、そして約１０〜約７０の色相角を有する第５の水性染料ベースのインク、および
（ｆ）色が緑であり、そして約１２０〜約１８０の色相角を有する第６の水性染料ベースのインク
を含むインクジェット・インクセット。
【請求項２】
（ａ）色がシアンであり、そして前記第１インクの総重量を基準にして約４重量％以下の染料含有率を有する第１の水性染料ベースのインク、
（ｂ）色が黄であり、そして前記第２インクの総重量を基準にして約４重量％以下の染料含有率を有する第２の水性染料ベースのインク、
（ｃ）色がマゼンタであり、そして前記第３インクの総重量を基準にして約４重量％以下の染料含有率を有する第３の水性染料ベースのインク、
（ｄ）色が青であり、そして前記第４インクの総重量を基準にして少なくとも約４重量％の染料含有率を有する第４の水性染料ベースのインク、
（ｅ）色が赤であり、そして前記第５インクの総重量を基準にして少なくとも約４重量％の染料含有率を有する第５の水性染料ベースのインク、および
（ｆ）色が緑であり、そして前記第６インクの総重量を基準にして少なくとも約４重量％の染料含有率を有する第６の水性染料ベースのインク
を含むインクジェット・インクセット。
【請求項３】
（ａ）第１の水性染料ベースのインクが前記第１インクの総重量を基準にして約４重量％以下の染料含有率を有し、
（ｂ）第２の水性染料ベースのインクが前記第２インクの総重量を基準にして約４重量％以下の染料含有率を有し、
（ｃ）第３の水性染料ベースのインクが前記第３インクの総重量を基準にして約４重量％以下の染料含有率を有し、
（ｄ）第４の水性染料ベースのインクが前記第４インクの総重量を基準にして約４重量％以上の染料含有率を有し、
（ｅ）第５の水性染料ベースのインクが前記第５インクの総重量を基準にして約４重量％以上の染料含有率を有し、そして
（ｆ）第６の水性染料ベースのインクが前記第６インクの総重量を基準にして約４重量％以上の染料含有率を有する
ことを特徴とする、請求項１に記載のインクジェット・インクセット。
【請求項４】
インクの総重量を基準にして、第１、第２および第３インクのそれぞれ中の染料含有率が約１．５％〜約４重量％であり、そして第４、第５および第６インクのそれぞれ中の染料含有率が約５％〜約９重量％であることを特徴とする、請求項１〜３のいずれか一項に記載のインクジェット・インクセット。
【請求項５】
第１の水性染料ベースのインクが約１９５〜約２３０の色相角を有し、第２の水性染料ベースのインクが約７５〜約１１０の色相角を有し、第３の水性染料ベースのインクが約３２５〜約３６０の色相角を有し、第４の水性染料ベースのインクが約２６５〜約３０５の色相角を有し、第５の水性染料ベースのインクが約１５〜約６５の色相角を有し、そして第６の水性染料ベースのインクが約１３５〜約１６５の色相角を有することを特徴とする、請求項１〜３のいずれか一項に記載のインクジェット・インクセット。
【請求項６】
第１の水性染料ベースのインクが約１９５〜約２３０の色相角を有し、第２の水性染料ベースのインクが約７５〜約１１０の色相角を有し、第３の水性染料ベースのインクが約３２５〜約３６０の色相角を有し、第４の水性染料ベースのインクが約２６５〜約３０５の色相角を有し、第５の水性染料ベースのインクが約１５〜約６５の色相角を有し、そして第６の水性染料ベースのインクが約１３５〜約１６５の色相角を有することを特徴とする、請求項４に記載のインクジェット・インクセット。
【請求項６】
色が黒である第７の水性染料ベースのインクをさらに含む、請求項１〜３のいずれか一項に記載のインクジェット・インクセット。
【請求項７】
前記第１インク中の染料がアシッド・ブルー（Ａｃｉｄ  Ｂｌｕｅ）９、ダイレクト・ブルー（Ｄｉｒｅｃｔ  Ｂｌｕｅ）１９９およびそれらの組合せよりなる群から選択され、および／または前記第２インク中の染料がダイレクト・イエロー（Ｄｉｒｅｃｔ  Ｙｅｌｌｏｗ）８６、ダイレクト・イエロー１３２、アシッド・イエロー（Ａｃｉｄ  Ｙｅｌｌｏｗ）２３およびそれらの組合せよりなる群から選択され、および／または前記第３インク中の染料がアシッド・レッド（Ａｃｉｄ  Ｒｅｄ）５２、リアクティブ・レッド（Ｒｅａｃｔｉｖｅ  Ｒｅｄ）１８０、アシッド・レッド３７、リアクティブ・レッド２３およびそれらの組合せよりなる群から選択され、および／または前記第４インク中の染料がリアクティブ・ブルー（Ｒｅａｃｔｉｖｅ  Ｂｌｕｅ）４９、リアクティブ・ブルー１９、リアクティブ・ブルー７２、リアクティブ・ブルー２１、アシッド・ブルー８３、アシッド・ブルー２６０およびそれらの組合せよりなる群から選択され、および／または前記第５インク中の染料がリアクティブ・オレンジ（Ｒｅａｃｔｉｖｅ  Ｏｒａｎｇｅ）１６、リアクティブ・レッド１２３、リアクティブ・レッド４３、リアクティブ・オレンジ１３、アシッド・レッド３３７、アシッド・レッド４１５、リアクティブ・レッド１８０／リアクティブ・イエロー（Ｒｅａｃｔｉｖｅ  Ｙｅｌｌｏｗ）８４混合物、およびそれらの組合せよりなる群から選択され、および／または前記第６インク中の染料がリアクティブ・グリーン（Ｒｅａｃｔｉｖｅ  Ｇｒｅｅｎ）１２、リアクティブ・ブルー７２／リアクティブ・イエロー８５混合物、およびそれらの組合せよりなる群から選択されることを特徴とする、請求項１〜３のいずれか一項に記載のインクジェット・インクセット。
【請求項８】
前記第１インク中の染料がアシッド・ブルー９、ダイレクト・ブルー１９９およびそれらの組合せよりなる群から選択され、および／または前記第２インク中の染料がダイレクト・イエロー８６、ダイレクト・イエロー１３２、アシッド・イエロー２３およびそれらの組合せよりなる群から選択され、および／または前記第３インク中の染料がアシッド・レッド５２、リアクティブ・レッド１８０、アシッド・レッド３７、リアクティブ・レッド２３およびそれらの組合せよりなる群から選択され、および／または前記第４インク中の染料がリアクティブ・ブルー４９、リアクティブ・ブルー１９、リアクティブ・ブルー７２、リアクティブ・ブルー２１、アシッド・ブルー８３、アシッド・ブルー２６０およびそれらの組合せよりなる群から選択され、および／または前記第５インク中の染料がリアクティブ・オレンジ１６、リアクティブ・レッド１２３、リアクティブ・レッド４３、リアクティブ・オレンジ１３、アシッド・レッド３３７、アシッド・レッド４１５、リアクティブ・レッド１８０／リアクティブ・イエロー８４混合物、およびそれらの組合せよりなる群から選択され、および／または前記第６インク中の染料がリアクティブ・グリーン１２、リアクティブ・ブルー７２／リアクティブ・イエロー８５混合物、およびそれらの組合せよりなる群から選択されることを特徴とする、請求項４に記載のインクジェット・インクセット。
【請求項９】
前記第１インク中の染料がアシッド・ブルー９、ダイレクト・ブルー１９９およびそれらの組合せよりなる群から選択され、および／または前記第２インク中の染料がダイレクト・イエロー８６、ダイレクト・イエロー１３２、アシッド・イエロー２３およびそれらの組合せよりなる群から選択され、および／または前記第３インク中の染料がアシッド・レッド５２、リアクティブ・レッド１８０、アシッド・レッド３７、リアクティブ・レッド２３およびそれらの組合せよりなる群から選択され、および／または前記第４インク中の染料がリアクティブ・ブルー４９、リアクティブ・ブルー１９、リアクティブ・ブルー７２、リアクティブ・ブルー２１、アシッド・ブルー８３、アシッド・ブルー２６０およびそれらの組合せよりなる群から選択され、および／または前記第５インク中の染料がリアクティブ・オレンジ１６、リアクティブ・レッド１２３、リアクティブ・レッド４３、リアクティブ・オレンジ１３、アシッド・レッド３３７、アシッド・レッド４１５、リアクティブ・レッド１８０／リアクティブ・イエロー８４混合物、およびそれらの組合せよりなる群から選択され、および／または前記第６インク中の染料がリアクティブ・グリーン１２、リアクティブ・ブルー７２／リアクティブ・イエロー８５混合物、およびそれらの組合せよりなる群から選択されることを特徴とする、請求項５に記載のインクジェット・インクセット。
【請求項１０】
請求項１〜９のいずれか一項に記載のインクセットを搭載しているインクジェットプリンター。
【請求項１１】
ページ幅のアレイであるプリントヘッドを含む、請求項１０に記載のインクジェットプリンター。
【請求項１２】
（ａ）デジタルデータ信号に応答するインクジェットプリンターを提供する工程、
（ｂ）印刷されるべき基材をプリンターに装着する工程、
（ｃ）請求項１〜９のいずれか一項に記載のインクジェット・インクセットをプリンターに装着する工程、および
（ｄ）デジタルデータ信号に応答してインクジェット・インクセットを用いて基材へ印刷する工程
を含む、基材へのインクジェット印刷方法。
【請求項１３】
インクジェットプリンターがページ幅のアレイであるプリントヘッドを含むことを特徴とする、請求項１２に記載の方法。
【発明の詳細な説明】
【技術分野】
【０００１】
本発明は、染料ベースのインクジェット・インクセットに、より具体的には少なくとも６つの異なる色に着色したインクのインクセットに関する。インクセットには、少なくともシアン、マゼンタ、黄、赤、青および緑インクが含まれる。
【背景技術】
【０００２】
インクジェット印刷は、インクの小滴が紙などの基材に沈着されて所望の画像を形成するノンインパクト印刷法である。小滴はマイクロプロセッサによって生み出された電気的信号に応答してプリントヘッドから噴出される。インクジェットプリンターは低コスト高品質印刷を提供し、他のタイプのプリンターの人気ある代替品になってきた。
【０００３】
染料含有インクの色特性は、印刷されたインクジェット画像の品質の点で重要な役割を果たす。知覚色品質は、当該技術でよく知られているように、ＣＩＥＬＡＢ（ＣＩＥ  Ｎｏ．１５．２，比色分析（Ｃｏｌｏｒｉｍｅｔｒｙ）、第２版、Ｃｏｍｍｉｓｓｉｏｎ  Ｉｎｔｅｒｎａｔｉｏｎａｌｅ  ｄｅ  Ｉ’Ｅｃｌａｒａｇｅ、オーストリア国ウィーン（Ｖｉｅｎｎａ，Ａｕｓｔｒｉａ）、１９８６年またはマンセル（Ｍｕｎｓｅｌｌ）（Ｍｕｎｓｅｌｌ  Ｂｏｏｋ  ｏｆ  Ｃｏｌｏｒ，Ｍｕｎｓｅｌｌ  Ｃｏｌｏｒ  Ｃｏ．，メリーランド州バルチモア（Ｂａｌｔｉｍｏｒｅ，ＭＤ）、１９２９年）などの幾つかの色−空間システムの任意の１つを用いて特徴づけることができる。マンセル色空間に関して、所与の色は３つの用語、すなわち色合い、値および彩度を用いて定義される。ＣＩＥＬＡＢ色空間に関して、色は、３つの用語Ｌ*、ａ*およびｂ*を用いて規定される。このシステムでＬ*は色の明るさを規定し、それは０（黒）〜１００（白）の範囲である。用語ａ*およびｂ*は一緒になって色合いを規定し、ここでａ*は負数（緑）〜正数（赤）の範囲であり、ｂ*は負数（青）〜正数（黄）の範囲である。色相角（ｈ°）および彩度（Ｃ*）などの追加の用語もまた、ａ*およびｂ*の代わりに所与の色を記載するために用いることができ、ここで、
【０００４】
【数１】
2007534802.tif 000002
【０００５】
フルカラー画像を達成するために、インクジェットプリンターはシアン（「Ｃ」）、マゼンタ（「Ｍ」）および黄（「Ｙ」）インクを典型的に用いる。これらの色は、光が着色剤を通過する時にそれが減じられるので、減法混色の原色として知られる。これらの色が対で混合される時それらは赤、緑および青（いわゆる「二次色」）を形成し、すべてが一緒に混合される時それらは黒を形成する。このように、これらの３色インクは、良好な色度および／または色飽和で全体範囲の色合いを印刷するために使用することができる。
【０００６】
所与のインクセットが印刷できる色の範囲は色域と呼ばれ、所与の基材にインクセットで印刷できる代表的な色のパレットを包含するＬ*ａ*ｂ*色空間での体積によってＣＩＥＬＡＢシステムで記載することができる。ＣＭＹインクセットはすべての可能な色合いを生み出すことができるが、色域は人間の目で知覚することができる色すべてを包含しない。従って、印刷画像品質を向上させ、かつ、印刷できる色の範囲を拡大させるという必要性は依然として存在する。
【０００７】
改善された色への一アプローチは、耐光性および耐水性などの所望の特性を依然として維持しながらまたは改善しながら紙上により高い彩度を与える新規なシアン、マゼンタおよび黄染料の開発である。このアプローチは、例えば、米国特許第６，０５３，９６９号明細書および米国特許第６，６７３，１４０号明細書でとられている。
【０００８】
別のアプローチは、印刷のために使用されるインクセットを拡大して画像品質または色域を改善する追加インクを含めることである。拡大インクセットが用いられた３つの方法がある。
【０００９】
一方法は、同じ色合いだが、より低い濃度のインク（いわゆる「明るいもの」）を含めることによる。明色は、画像によりスムーズな色調の階調および明色を生み出すことによって画像品質を向上させる。明色のためには、フル強度色の１０％〜２０％の染料含有率を典型的に有する「明るい」または「写真」インクが使用される。中間強度色のためには、「明るい」およびフル強度インクが混合される。最も暗い色のためには、フル強度インク滴のみが使用される。こうして、スムーズな色調の階調を得ることができる。
【００１０】
「明るいもの」を使用することのさらなる利点は、それが、画像上の暗いまばらに間隔が空いたドットの問題を有することなくフル強度インクの染料濃度をさらに上げさせることである。より高い濃度のインクは、高品質写真用紙上で混合された時により高い彩度の二次色を生み出し、かつ、それらはまた、より暗いＣＭＹプロセスブラックも生み出す。これらの２つの効果は、色域を著しく高めるのに役立つ。
【００１１】
米国特許第５，８３３，７４３号明細書は、いかにして原色のそれぞれの３つ以下の異なる濃度を使用してＣＭＹインクセットから得られる色域を大きく増大させ得るかを開示している。黄はいかなるザラザラも好ましくないほどではないように十分に明るいので、典型的に「明るい」インクはシアンおよびマゼンタについてのみ使用される。
【００１２】
米国特許第６，５０９，９１６号明細書は、改善された階調再現を向上させ、かつ、色域を拡大するために、異なる色合いの明るいインクが３色セットに追加される印刷方法を開示している。
【００１３】
拡大されたインクセットが用いられる第２の方法は、染料ベースの黒（「Ｋ」）インクおよび顔料入り黒インクの両方を（ＣＭＹ染料と共に）含めることによる。最も商業的なインクジェットプリンターは、顔料入り黒インクが普通紙上に高い光学密度およびはっきりしたテキストを与えるのでこれを使用するが、写真用紙上に染料と共に使用された時に顔料入り黒は染料より低い光沢を有し、かつ、薄っぺらに見える。このようにプリンターは、高い光沢画像を維持するために写真を印刷する時にＣＭＹの組合せを使用して黒を達成する。しかしながら、かかる組合せ黒の光学密度は、真の黒インクを使用するものより低く、かつまた、３倍ほど多くのインクが使用されることを必要とし、それ故写真印刷機は、ＣＭＹに加えて特別の高い光学密度の黒染料インクを使用して画像を向上させる。上述した米国特許第６，６７３，１４０号明細書は、ＣＭＹインクセットの色域を改善するために使用されるべき具体的な黒染料インクを開示している。
【００１４】
拡大されたインクセットが用いられる第３の方法は、ＣＭＹ以外の色合いのより多くのインクをさらに含めることによる。印刷されるべき画像が多数のある種の色を含有し、その結果色がインクセットに特に追加される幾つかのケースでは、この追加インクはスポットカラーとして知られるものであってもよい。このスポットカラーは必ずしも、ＣＭＹインクセットの既存色域の外側にない。所望の色が該色域の内側にあるケースでは、インクの追加は、単一インクが混合物よりもむしろ使用されるので、より少ないインクの使用という利点を依然として提供し、それはまた、他の色の混合物の使用を回避することによって再び、改善された明るい色調を提供するかもしれない。別の例として、印刷されるべきデジタル画像は、既存のインクセットで正確に印刷することが困難なある種の色を含有するかもしれず、当該色はインクセット用の追加インクとして選択することができる。米国特許第６，５８８，８７９号明細書は、これらの２つのケースに対処するテキスタイル印刷用インクの選択方法を開示している。好ましいとして開示されたインクセットは１２のインクを含有する。
【００１５】
米国特許第６，３３６，７２１号明細書は、ＣＭＹ（および場合によりＫ）インクの第１セット、ならびに黄染料、および／またはオレンジ染料、および／または赤染料および／または青染料に特有の化学式を含有する第２セットを使用する多色印刷方法を開示している。該開示は、これらの染料の混合物から製造されたインクがどのようにして既存のＣＭＹＫインクセットの色域を拡大できるかを示している。
【００１６】
米国特許第６，５０８，５４９号明細書は、黄染料インク、シアン染料インクならびにオレンジおよび／または緑および／または紫インクを含有するインクセットの一部である特異的なマゼンタ染料を含有するインクセットを同様に記載している。
【００１７】
米国特許第５，９８８，７９１号明細書は、追加の色、このケースでは青がテキスタイル印刷用のインクセットに追加された時に、明るいシアンとマゼンタとの混合物をより明るい青色合いを印刷するために使用できることを開示している。
【００１８】
上に特定された公報のすべては、まるで完全に記載されているかのようにあらゆる目的のために本明細書に参照により援用される。
【００１９】
上記の技術は、具体的な問題に対処するために基本的なＣＭＹインクセットへの逐次追加を行うことによって画像品質を向上させようと試みるものであるが、解決策のどれも、明るい色調を再現するだけでなく写真およびコンピュータモニター画像を再現することができる色の範囲両方を本来提供しない。さらに、解決策の多くは、インクセットに色を追加することが簡単な事柄であると推測している。多くの従来の（非インクジェット）印刷方法ではそうかもしれないが、インクジェット印刷では、利用可能なインクスロットの数はプリンターデザインによって決定され、そしてまたプリントヘッドの幅および重量を制限する多インクジェット印刷のスキャニング性のために制限される。
【発明の開示】
【発明が解決しようとする課題】
【００２０】
従って、（ａ）色域を拡大する系統的方法を、（ｂ）明るい色調、ハイライトおよびグレースケールの印刷方法と（ｃ）制限された数のインクチャネルを用いて統合するインクセットに対するニーズがある。これらの問題に対処するインクセットを提供することが本発明の目的である。
【課題を解決するための手段】
【００２１】
本発明は、インクの３つが３つの加法混色の原色（赤、緑および青）に相当し、インクの３つか減法混色の原色（シアン、マゼンタおよび黄）に相当する、少なくとも６つの異なる色に着色されたインクを含むインクセットを提供する。加法混色の原色インク中の染料含有率は、３つの減法混色の原色インクの染料含有率より高くすべきであり、好ましくは実質的に高くすべきである。
【００２２】
このように、本発明の一態様に従って、
（ａ）色がシアンであり、そして約１８０〜約２５０の色相角を有する第１の水性染料ベースのインク、
（ｂ）色が黄であり、そして約７０〜約１２０の色相角を有する第２の水性染料ベースのインク、
（ｃ）色がマゼンタであり、そして約３２０〜約１０の色相角を有する第３の水性染料ベースのインク、
（ｄ）色が青であり、そして約２５０〜約３２０の色相角を有する第４の水性染料ベースのインク、
（ｅ）色が赤であり、そして約１０〜約７０の色相角を有する第５の水性染料ベースのインク、および
（ｆ）色が緑であり、そして約１２０〜約１８０の色相角を有する第６の水性染料ベースのインク
を含む第１のインクジェット・インクセットが提供される。
【００２３】
本発明の別の態様に従って、
（ａ）色がシアンであり、そして前記第１インクの総重量を基準にして約４重量％以下の染料含有率を有する第１の水性染料ベースのインク、
（ｂ）色が黄であり、そして前記第２インクの総重量を基準にして約４重量％以下の染料含有率を有する第２の水性染料ベースのインク、
（ｃ）色がマゼンタであり、そして前記第３インクの総重量を基準にして約４重量％以下の染料含有率を有する第３の水性染料ベースのインク、
（ｄ）色が青であり、そして前記第４インクの総重量を基準にして少なくとも約４重量％の染料含有率を有する第４の水性染料ベースのインク、
（ｅ）色が赤であり、そして前記第５インクの総重量を基準にして少なくとも約４重量％の染料含有率を有する第５の水性染料ベースのインク、および
（ｆ）色が緑であり、そして前記第６インクの総重量を基準にして少なくとも約４重量％の染料含有率を有する第６の水性染料ベースのインク
を含む第２のインクジェット・インクセットが提供される。
【００２４】
好ましくはインクセットは上記の両セットの特性を有する。また好ましくはインクジェット・インクセットは水性黒インクをさらに含む。
【００２５】
本発明インクセットの一利点は拡大された色域である。別の利点は、ＣＹＭインクの濃度が（ＣＹＭで二次色を作る必要性を取り除くことによって）低く保たれるので、改善された画像品質（あまりザラザラしていない明るい色調）である。別の利点はＲＧＢインクの存在のためにより望ましい二次色であり、加えて、二次色はより低いインク・ロードで達成される。さらに別の利点は、ＲＧＢを使用することによって達成されるより魅力的な複合体である。
【００２６】
本発明のさらに別の態様に従って、上記のようなインクジェット・インクセットを搭載した、デジタルデータ信号に応答するインクジェットプリンターが提供される。好ましくはプリンターはページ幅のプリントヘッド・アレイを搭載する。
【００２７】
本発明のさらに別の態様では、
（ａ）デジタルデータ信号に応答するインクジェットプリンターを提供する工程、
（ｂ）印刷されるべき基材をプリンターに装着する工程、
（ｃ）上に述べられたおよび下にさらに詳細に記載されるようなインクジェット・インクセットをプリンターに装着する工程、および
（ｄ）デジタルデータ信号に応答してインクジェット・インクセットを用いて基材へ印刷する工程
を含む、基材へのインクジェット印刷方法が提供される。
【００２８】
好ましい基材には、普通紙、写真用紙およびテキスタイルが含まれる。
【００２９】
本発明のこれらのおよび他の特徴および利点は、次の詳細な説明を読むことで当業者によってより容易に理解されるであろう。明確にするために、個々の実施形態との関連で上におよび下に記載される本発明の幾つかの特徴はまた、単一の実施形態で組み合わせて提供されてもよいことが理解されるべきである。逆に、簡潔にするために、単一の実施形態との関連で記載される本発明の本発明の様々な特徴はまた、別々にまたは任意のサブコンビネーションで提供されてもよい。加えて、単数形での言及にはまた、文脈が特に明記しない限り複数形が含まれてもよい（例えば、単数形（「ａ」および「ａｎ」）は１つ、または１つもしくはそれ以上を意味してもよい）。さらに、範囲で述べられた値への言及には、当該範囲内の各値およびあらゆる値が含まれる。
【発明を実施するための最良の形態】
【００３０】
着色インク
本発明インクセットの着色インクは媒体、好ましくは水性媒体、および着色剤を含む。着色剤は、インク媒体（これらの混合物も同様に含まれる）に可溶である（染料）または分散する（顔料）ことができる。
【００３１】
アニオン、カチオン、両性および非イオン性染料などの、通常の染料が本発明で有用である。かかる染料は一般に当業者によく知られている。
【００３２】
アニオン染料は、水性溶液中で、着色したアニオンを生じるそれらの染料である。カチオン染料は、水性溶液中で、着色したカチオンを生じるそれらの染料である。典型的にはアニオン染料はイオン性部分としてカルボン酸またはスルホン酸基を含有する。カチオン染料は通常第四級窒素基を含有する。
【００３３】
本発明で最も有用なタイプのアニオン染料は、例えば、アシッド（Ａｃｉｄ）、ダイレクト（Ｄｉｒｅｃｔ）、食用（Ｆｏｏｄ）、媒染およびリアクティブ（Ｒｅａｃｔｉｖｅ）染料である。
【００３４】
好ましいアニオン染料は、ニトロソ化合物、ニトロ化合物、アゾ化合物、スチルベン化合物、トリアリールメタン化合物、キサンテン化合物、キノリン化合物、チアゾール化合物、アジン化合物、オキサジン化合物、チアジン化合物、アミノケトン化合物、アントラキノン化合物、インジゴイド化合物およびフタロシアニン化合物よりなる群から選択されたものである。
【００３５】
好ましいカチオン染料には主として、繊維などの基材上の酸性部位に結合するようにデザインされている塩基性染料および媒染染料の幾つかが含まれる。有用なタイプのかかる染料には、とりわけ、アゾ化合物、ジフェニルメタン化合物、トリアリールメタン、キサンテン化合物、アクリジン化合物、キノリン化合物、メチンまたはポリメチン化合物、チアゾール化合物、インダミンまたはインドフェニル化合物、アジン化合物、オキサジン化合物およびチアジン化合物が含まれ、それらのすべてが一般に当業者によく知られている。
【００３６】
染料は、染色業者および着色者協会、英国ヨークシャー、ブラッドフォード（Ｓｏｃｉｅｔｙ  Ｄｙｅｒｓ  ａｎｄ  Ｃｏｌｏｕｒｉｓｔｓ，Ｂｒａｄｆｏｒｄ，Ｙｏｒｋｓｈｉｒｅ，ＵＫ）によって確立され、カラー・インデックス、第３版（Ｔｈｅ  Ｃｏｌｏｒ  Ｉｎｄｅｘ，Ｔｈｉｒｄ  Ｅｄｉｔｉｏｎ）、１９７１年（その関連開示はまるで完全に記載されているかのようにあらゆる目的のために本明細書に参照により援用される）に公表されたそれらの「Ｃ．Ｉ．」呼称によって本明細書では言及される。ＣＩ呼称は、名称の一部として知覚色を用いるが、何がオレンジ、赤、紫、青、緑などを構成しているかについての何の公式なスペクトル定義もない。本発明の目的のためには、インク色は次のような色相角範囲（範囲の両端の数値に「約」が付く）により命名されるであろう。
【００３７】
2007534802.tif 000003
【００３８】
インクセット用の着色剤を選ぶ際に、所与の色についての色相角は好ましくは下記の範囲内（範囲の両端の数値に「約」が付く）に入る。
【００３９】
2007534802.tif 000004
【００４０】
色相角は、溶液の分光光度測定によって、または写真用紙などの高品質インクジェット媒体へインクを印刷することによって、および分光計で色を測定することによって求められる。色相角が方法間で実質的に異なるケースでは、溶液測定が好ましいはずである。
【００４１】
有用なＣＭＹ染料には、（シアン）アシッド・ブルー９およびダイレクト・ブルー１９９、（マゼンタ）アシッド・レッド５２、リアクティブ・レッド１８０、アシッド・レッド３７およびリアクティブ・レッド２３、ならびに（黄）ダイレクト・イエロー８６、ダイレクト・イエロー１３２およびアシッド・イエロー２３が含まれる。
【００４２】
有用なＲＧＢ染料には、（赤）リアクティブ・オレンジ１６、リアクティブ・レッド１２３、リアクティブ・レッド４３、リアクティブ・オレンジ１３、アシッド・レッド３３７およびアシッド・レッド４１５、（青）リアクティブ・ブルー４９、リアクティブ・ブルー１９、リアクティブ・ブルー７２、リアクティブ・ブルー２１、アシッド・ブルー８３およびアシッド・ブルー２６０、ならびに（緑）リアクティブ・グリーン１２が含まれる。
【００４３】
インクは染料の混合物から形成されてもよく、例えば、赤インクはリアクティブ・レッド１８０とリアクティブ・イエロー８４との混合物であってもよく、そして緑インクはリアクティブ・ブルー７２とリアクティブ・イエロー８５との混合物であってもよい。所与のインク中の「染料含有率」は、単一染料種であろうと２つもしくはそれ以上の染料種の組合せであろうと、当該インク中に存在するすべての染料に関する。
【００４４】
インクセットにはまた、黒インクが含まれてもよい。黒着色剤はまた、例えば、米国特許第５，７５３，０１６号明細書（その開示はまるで完全に記載されているかのようにあらゆる目的のために本明細書に参照により援用される）に開示されている黒染料のような染料であってもよい。黒着色剤はまた、ＰＢ７（カーボンブラック）などの顔料であってもよい。
【００４５】
顔料は、伝統的に、ポリマー分散剤または界面活性剤などの分散剤によって媒体中の分散系に安定化される。しかしながらより最近になって、いわゆる「自己分散できる」または「自己分散する」顔料（本明細書では以下「ＳＤＰ」）が開発された。その名称が暗示するように、ＳＤＰは分散剤なしに水、または水性媒体中に分散できる。黒顔料は、自己分散するための表面処理によって（例えば、その開示がまるで完全に記載されているかのようにあらゆる目的のために本明細書に参照により援用される、米国特許出願公開第２００２／００１４１８４号明細書を参照されたい）、伝統的なやり方での分散剤処理によって、または表面処理と分散剤とのある組合せによって分散系に安定化されてもよい。
【００４６】
好ましくは、分散剤が用いられる時、分散剤はランダムまたは構造化ポリマー分散剤である。好ましいランダムポリマーには、アクリルポリマーおよびスチレン−アクリルポリマーが含まれる。ＡＢ、ＢＡＢおよびＡＢＣブロック共重合体、分岐ポリマーおよびグラフトポリマーを含む構造化分散剤が最も好ましい。幾つかの有用な構造化ポリマーは米国特許第５，０８５，６９８号明細書、欧州特許出願公開第０５５６６４９Ａ号明細書および米国特許第５，２３１，１３１号明細書（それらの開示はまるで完全に記載されているかのようにあらゆる目的のために本明細書に参照により援用される）に開示されている。
【００４７】
有用な顔料粒度は典型的には約０．００５ミクロン〜約１５ミクロンの範囲にある。好ましくは、顔料粒度は約０．００５ミクロン〜約５ミクロン、より好ましくは約０．００５ミクロン〜約１ミクロン、最も好ましくは約０．００５ミクロン〜約０．３ミクロンの範囲であるべきである。
【００４８】
媒体
媒体は好ましくは、水または水と少なくとも１つの水溶性有機溶剤（共溶剤）との混合物を意味する「水性媒体」である。好適な混合物の選択は、所望の表面張力および粘度、選択された着色剤、インクの乾燥時間、およびインクが印刷される基材のタイプなどの、具体的用途の要件に依存する。選択されてもよい水溶性有機溶剤の代表的な例は、米国特許第５，０８５，６９８号明細書（その開示はまるで完全に記載されているかのようにあらゆる目的のために本明細書に参照により援用される）に開示されている。
【００４９】
水と水溶性溶剤との混合物が使用される場合、水性媒体は典型的には約３０％〜約９５％水を含有し、残り（すなわち、約７０％〜約５％）は水溶性溶剤である。好ましい組成物は、水性媒体の総重量を基準にして約６０％〜約９５％の水を含有する。
【００５０】
水性媒体をベースとするインクは、界面活性剤またはグリコールエーテルおよび１，２−アルカンジオールなどの浸透剤を含めることによって速浸透性（速乾性）であるようにすることができる。グリコールエーテルには、エチレングリコールモノブチルエーテル、ジエチレングリコールモノ−ｎ−プロピルエーテル、エチレングリコールモノ−イソプロピルエーテル、ジエチレングリコールモノ−イソプロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノ−ｎ−ブチルエーテル、ジエチレングリコールモノ−ｔ−ブチルエーテル、１−メチル−１−メトキシブタノール、プロピレングリコールモノ−ｔ−ブチルエーテル、プロピレングリコールモノ−ｎ−プロピルエーテル、プロピレングリコールモノ−イソプロピルエーテル、プロピレングリコールモノ−ｎ−ブチルエーテル、ジプロピレングリコールモノ−ｎ−ブチルエーテル、ジプロピレングリコールモノ−ｎ−プロピルエーテル、およびジプロピレングリコールモノ−イソプロピルエーテルが含まれる。１，２−アルカンジオールは好ましくは１，２−Ｃ４〜６アルカンジオール、最も好ましくは１，２−ヘキサンジオールである。好適な界面活性剤には、エトキシル化アセチレンジオール（例えばエア・プロダクツ（Ａｉｒ  Ｐｒｏｄｕｃｔｓ）製のサーフィノール（Ｓｕｒｆｙｎｏｌｓ）（登録商標）シリーズ）、エトキシル化第一級アルコール（シェル（Ｓｈｅｌｌ）製のネオドール（Ｎｅｏｄｏｌ）（登録商標）シリーズ）およびエトキシル化第二級アルコール（例えばユニオン・カーバイド（Ｕｎｉｏｎ  Ｃａｒｂｉｄｅ）製のターギトール（Ｔｅｒｇｉｔｏｌ）（登録商標）シリーズ）、スルホスクシネート（例えばサイテック（Ｃｙｔｅｃ）製のエアロゾル（Ａｅｒｏｓｏｌ）（登録商標）シリーズ）、オルガノシリコーン（例えばウィットコ（Ｗｉｔｃｏ）製のシルウェット（Ｓｉｌｗｅｔ）（登録商標）シリーズ）ならびにフルオロ界面活性剤（例えばデュポン（ＤｕＰｏｎｔ）製のゾニール（Ｚｏｎｙｌ）（登録商標）シリーズ）が含まれる。
【００５１】
添加されるグリコールエーテルおよび１，２−アルカンジオールの量は、適切に決定されなければならないが、インクの総重量を基準にして、典型的には約１〜約１５重量％、より典型的には約２〜約１０重量％の範囲にある。界面活性剤は、インクの総重量を基準にして、典型的には約０．０１〜約５重量％、好ましくは約０．２〜約２％の量で使用されてもよい。
【００５２】
他の成分
他の成分は、かかる他の成分がインクの安定性およびジェット可能性を妨げない程度までインクジェット・インク中へ調合されてもよく、それはお決まりの実験で容易に決定されるかもしれない。かかる他の成分は一般的な意味で当該技術ではよく知られている。
【００５３】
ポリマーは耐久性を向上させるためにインクに添加されてもよい。ポリマーは媒体に可溶であるまたは分散させることができ（例えば「エマルジョンポリマー」または「ラテックス」）、イオン性または非イオン性であることができる。有用なクラスのポリマーには、アクリル、スチレン−アクリルおよびポリウレタンが含まれる。
【００５４】
殺生物剤が微生物の増殖を抑えるために使用されてもよい。
【００５５】
エチレンジアミン四酢酸（ＥＤＴＡ）、イミノジ酢酸（ＩＤＡ）、エチレンジアミン−ジ−（ｏ−ヒドロキシフェニル酢酸）（ＥＤＤＨＡ）、ニトリロ三酢酸（ＮＴＡ）、ジヒドロキシエチルグリシン（ＤＨＥＧ）、トランス−１，２−シクロヘキサンジアミン四酢酸（ＣｙＤＴＡ）、ジエチレントリアミン−Ｎ，Ｎ，Ｎ’，Ｎ”，Ｎ”−五酢酸（ＤＴＰＡ）、およびグリコールエーテルジアミン−Ｎ，Ｎ，Ｎ’，Ｎ’−四酢酸（ＧＥＤＴＡ）、ならびにそれらの塩などの金属イオン封鎖（キレート）剤の包含は、例えば、重金属不純物の悪影響を排除するために有利であるかもしれない。
【００５６】
成分の特性
上記の成分は、一般に上記のような、および当業者によって一般に認められるような、所望のインク特性を達成するために様々な割合および組合せでインクを製造するために組み合わせることができる。幾つかの実験がインクを特定の最終用途に対して最適化するために必要であるかもしれないが、かかる最適化は一般に当業者の範囲内である。
【００５７】
例えば、インク中の媒体の量は、水性であろうと非水性であろうと、インクの総重量を基準にして、典型的には約７０％〜約９９．８％、好ましくは約８０％〜約９９．８％の範囲にある。
【００５８】
着色インクで、着色剤は、全体インクの約１２％重量以下、より典型的には約０．１〜約９重量％の範囲の量で一般に存在するであろう。分散剤は、不溶性着色剤の安定化に必要とされる時、着色剤の量を基準にしたレベルで用いられ、通常、重量比として表される。一般に、分散剤は約１：３〜約４：１の範囲の顔料対分散剤重量比で用いられる。
【００５９】
本発明のＣＭＹＲＧＢインクセットの具体的な文脈で、ＲＧＢインクはＣＭＹインクより高い染料含有率を有するべきである、好ましくはＣＭＹインクは、それぞれのインクの総重量を基準にして、約４重量％以下、より好ましくは約１．５〜約４重量％以下の染料含有率を有し、ＲＧＢインクは、少なくとも約４重量％、より好ましくは約５％〜約９重量％の染料含有率を有する。
【００６０】
他の成分（添加剤）は、存在する時、インクの総重量を基準にして、一般に約１５重量％未満を占める。界面活性剤は、添加される時、インクの総重量を基準にして一般に約０．２〜約３重量％の範囲にある。ポリマー定着剤以外のポリマーは、必要ならば添加することができるが、インクの総重量を基準にして一般に約１５重量％未満であろう。
【００６１】
インク特性
落下速度、小滴の分離長さ、滴径および流れ安定性は、インクの表面張力および粘度によって大きく影響される。インクジェット・インクは典型的には２５℃で約２０ダイン／ｃｍ〜約７０ダイン／ｃｍの範囲の表面張力を有する。粘度は２５℃で３０ｃＰほどに高い（３０ｃＰ以下である）ことができるが、典型的には幾分より低い（３０ｃＰ未満である）。インクは、噴出条件およびプリントヘッドデザインに合った物理的特性を有する。インクは、インクジェット装置で有意な程度まで詰まらないように長期にわたって優れた貯蔵安定性を有するべきである。さらに、インクは、それが接触するインクジェット印刷装置の部品を腐食すべきでなく、それは本質的に無臭で、無毒であるべきである。
【００６２】
任意の特定の粘度範囲またはプリントヘッドに限定されないが、本発明で考えられる塗布は一般により低い粘度のインクを必要とするであろう。このようにインクの粘度（２５℃での）は約７ｃｐｓ未満、約５ｃｐｓ未満であり得、さらに約３．５ｃｐｓ未満であり得る。
【００６３】
インクセット
用語「インクセット」は、ジェットするためにインクジェットプリンターに装着される流体すべてを意味する。これらの流体には、上記の少なくとも６つの着色インクが含まれる。例えば、印刷された画像の耐摩耗性および／また光沢を高めるために着色インクのすべての後に塗布されるであろう耐久性または光沢強化成分を含有する追加の無色インク（「トップコート」）などの他のインク（または流体）もまた存在することができよう。別のタイプのかかる流体は、その開示がまるで完全に記載されているかのようにあらゆる目的のために本明細書に参照により援用される、共同所有される米国特許出願第１１／０１３，１２８号明細書（２００４年１２月１５日に出願）（米国仮特許出願第６０／５３３，０６８号明細書（２００３年１２月２９日に出願）の優先権を主張する）に開示されているような、（好ましくは無色の）定着剤流体である。
【００６４】
上に示されたように、インクセットはまた、１つもしくはそれ以上の黒インクを含有してもよい。黒インク着色剤は、染料もしくは顔料または１つもしくはそれ以上の染料の組合せおよび／または染料と顔料との組合せであってもよい。３以上の黒インクのインクセットは、染料ベースの黒および顔料ベースの黒を含有してもよい。
【００６５】
ＣＹＭＲＧＢインクセットは好ましくは、
アシッド・ブルー９、ダイレクト・ブルー１９９およびそれらの組合せよりなる群から選択された着色剤入りシアンインク、
ダイレクト・イエロー８６、ダイレクト・イエロー１３２、アシッド・イエロー２３およびそれらの組合せよりなる群から選択された着色剤入り黄インク、
アシッド・レッド５２、リアクティブ・レッド１８０、アシッド・レッド３７、リアクティブ・レッド２３およびそれらの組合せよりなる群から選択された着色剤入りマゼンタインク、
リアクティブ・ブルー４９、リアクティブ・ブルー１９、リアクティブ・ブルー７２、リアクティブ・ブルー２１、アシッド・ブルー８３、アシッド・ブルー２６０およびそれらの組合せよりなる群から選択された着色剤入り青インク、
リアクティブ・オレンジ１６、リアクティブ・レッド１２３、リアクティブ・レッド４３、リアクティブ・オレンジ１３、アシッド・レッド３３７、アシッド・レッド４１５、リアクティブ・レッド１８０／リアクティブ・イエロー８４混合物、およびそれらの組合せよりなる群から選択された着色剤入り赤インク、
リアクティブ・グリーン１２、リアクティブ・ブルー７２／リアクティブ・イエロー８５混合物、およびそれらの組合せよりなる群から選択された着色剤入り緑インク、ならびに
それらの任意のサブコンビネーション
を含む。
【００６６】
プリンター
本発明インクセットは、ジェットされたインクの体積を減らすために有利であり、それ故、インクすべてをワンパスで塗るインクジェットプリンターによる塗布に特に好適である。かかるプリンターは、例えば、所定の位置に固定されているプリントヘッド・アレイ（固定アレイ）を装備したものであることができる。
【００６７】
プリンターは、例えば、米国特許第６，４４３，５５５号明細書（その開示はまるで完全に記載されているかのようにあらゆる目的のために本明細書に参照により援用される）に記載されているものに類似であることができる。かかるプリンター用のプリントヘッドは、例えば、米国特許第６，４２６，０１４号明細書および米国特許出願公開第２００２／００３３８６３号明細書（その開示もまたまるで完全に記載されているかのようにあらゆる目的のために本明細書に参照により援用される）に記載されているものであることができる。
【００６８】
固定アレイプリンターは一般に、少なくとも約６００ｄｐｉ、好ましくは少なくとも約１２００ｄｐｉ、より好ましくは少なくとも約１６００ｄｐｉを印刷することができるであろう。印刷は好ましくはワンパスで行われ、こうしてプリントヘッドは、印刷ゾーンによって基材のワンパスで規定ｄｐｉを達成するように配置構成されている。
【００６９】
印刷ゾーンの幅は、印刷をワンパスで迅速に行うことができるように、印刷されるべき区域の幅と少なくとも同じくらい幅広い。従って、この種のプリントヘッドはページ幅アレイまたは全幅アレイと一般に言われる。いわゆる「ＳＯＨＯ」（小さなオフィス、ホームオフィス）および「ネットワーク」印刷のために、印刷ゾーンの幅は少なくとも、例えばＡ４サイズ紙および／またはレターサイズ（８．５×１１インチ）紙などの標準紙のような幅である。いわゆる「幅広フォーマット」印刷のために、印刷ゾーンは好ましくは少なくとも約３６インチ幅であり、ロールから供給される媒体を供給することができる。
【００７０】
インクジェットプリンターは、デジタルデータ信号に応答し、所定の位置に固定されているプリントヘッド・アレイ（固定アレイ）を装備している。プリントヘッドから噴出されたインク小滴は任意の好適な体積のものであることができるが、好ましくは小滴は約１０ｐＬ未満であり、より好ましくは約１〜約５ｐＬ、さらにより好ましくは約１〜約２ｐＬの範囲にある。
【００７１】
基材
本発明での使用に好適な基材は、当業者に公知の任意の有用な基材であることができる。例えば、基材は、一般の電子写真複写紙などの普通紙であることができる。基材はまた、マイクロポーラスペ−パー、ポリマー被覆紙および該２つのハイブリッドなどの特殊媒体であることもできる。基材は塩化ビニルおよびポリエステルなどのポリマーフィルムであることができる。ポリマーフィルムは標識、掲示板および旗などの幅広フォーマット用途で特に有用である。基材は、スパンボンドポリオレフィン（例えばタイベック（Ｔｙｖｅｋ）（登録商標）、デュポン社（ＤｕＰｏｎｔ  Ｃｏ．））などの不織布であることができる。基材はまた、絹、コットン、ナイロンおよびポリエステルなどの織布であることもできる。
【実施例】
【００７２】
インクを次の配合表に従って調製した。成分を一緒に混合し、濾過した。水は脱イオンした。サーフィノール（Ｓｕｒｆｙｎｏｌ）（登録商標）４６５はエア・プロダクツ社（米国ペンシルバニア州アレンタウン（Ａｌｌｅｎｔｏｗｎ，ＰＡ，ＵＳＡ）製の界面活性剤である。プロキセル（Ｐｒｏｘｅｌ）（商標）ＧＸＬはアヴェシア（Ａｖｅｃｉａ）（米国デラウェア州ウィルミントン（Ｗｉｌｍｉｎｇｔｏｎ，ＤＥ，ＵＳＡ））製の殺生物剤である。
【００７３】
シアン・インク
2007534802.tif 000005
【００７４】
色相角は溶液で２２３、エプソン高級光沢紙（Ｅｐｓｏｎ  ｐｒｅｍｉｕｍ  Ｇｌｏｓｓｙ  ｐａｐｅｒ）に印刷されて２２１であった。
【００７５】
マゼンタ・インク
2007534802.tif 000006
【００７６】
ＲＲ１８０の溶液での色相角は３５１であり、ＡＲ５２は３２３であった。染料混合物を含有する印刷されたインクは、エプソン高級光沢紙に印刷されて３４５の色相角を有した。
【００７７】
黄インク
2007534802.tif 000007
【００７８】
色相角は溶液で１０７、エプソン高級光沢紙に印刷されて９３であった。
【００７９】
赤インク
2007534802.tif 000008
【００８０】
色相角は溶液で３６、エプソン高級光沢紙に印刷されて３６であった。
【００８１】
青インク
2007534802.tif 000009
【００８２】
色相角は溶液で２８０、エプソン高級光沢紙に印刷されて２８８であった。
【００８３】
緑インク
2007534802.tif 000010
【００８４】
色相角は溶液で１４９、エプソン高級光沢紙に印刷されて１５７であった。
【００８５】
黒インク
2007534802.tif 000011
【００８６】
測定
インクを、キャノン（Ｃａｎｏｎ）ｉ５５０プリンターを用いてエプソン高級光沢写真用紙へ印刷した。色値は、グレイタッグ−マクベス・スペクトロリノ分光計（Ｇｒｅｙｔａｇ−Ｍａｃｂｅｔｈ  Ｓｐｅｃｔｒｏｌｉｎｏ  ｓｐｅｃｔｒｏｍｅｔｅｒ）を用いて測定した。
【００８７】
溶液での染料の色相角は、ヒューレット・パッカード８４５３紫外−可視分光光度計（Ｈｅｗｌｅｔｔ  Ｐａｃｋａｒｄ  ８４５３  ＵＶ−Ｖｉｓｉｂｌｅ  Ｓｐｅｃｔｒｏｐｈｏｔｏｍｅｔｅｒ）で測定した。染料溶液を、ピーク吸光度波長の吸光度、ラムダ最大値が０．４〜０．８吸光度単位となるまで希釈した。機器ソフトウェアが測定されたスペクトルからＬ*ａ*ｂ*値および色合いおよび彩度を自動的に計算した。
【００８８】
色域体積は、その開示がまるで完全に記載されているかのようにあらゆる目的のために本明細書に参照により援用される、米国特許出願公開第２００４／０１００６４３号明細書に記載された方法に従って計算した。体積はＬ*ａ*ｂ*の千単位で報告する。
【００８９】
実施例１（対照）
次の表は、ＣＹＭについてのＯＤおよび彩度を染料濃度の関数として示す。ＯＤは増加し続けるが、シアンおよびマゼンタについての彩度はピークに達し、次に下落する。
【００９０】
2007534802.tif 000012
【００９１】
上の表は、ＣＭＹＫインクセットの色域体積がＣＭＹ染料濃度の範囲にわたって実質的に変わらないことを示す。
【００９２】
2007534802.tif 000013
【００９３】
２．０％、３．０％、４．０％および６．０％シアンは、それぞれ、インク１〜４を指す。同様に２．０％、３．０％、４．０％および６．０％マゼンタは、それぞれ、インク５〜８を指し、そして２．０％、３．０％、４．０％および６．０％黄は、それぞれ、インク９〜１２を指す。
【００９４】
ＣＹＭＫインクセットについては、濃度を高めることによって全体色域体積の点で何の利点も達成されない。しかし高い染料使用量は、より魅力的な二次色を提供する。しかしながら、より良好な二次色のためのトレードオフは、少ないインクドットが所与の区域に印刷されるので、より「ザラザラした」明るい色調である。
【００９５】
本発明インクセットを使用する時に、トレードオフは回避される。ＣＭＹインクは、色再現を犠牲にすることなく目立たないようにし、それ故にザラザラの外観を低下させることができる。赤、緑および青の明るい色調を次に、これらの色でのザラザラを回避するためにシアン、黄およびマゼンタの混合物を用いて印刷することができる。
【００９６】
実施例２
下の表に示されるインクセットのそれぞれについて、黄、赤、マゼンタ、青、シアン、緑および黒のソリッドカラー・パッチを印刷し、Ｌ*ａ*ｂ*値を測定した。基材（白）についてのＬ*ａ*ｂ*値もまた測定した。色域体積は、これらの８点の間に取り囲まれたＬ*ａ*ｂ*単位の体積として測定した。ＣＭＹＲＧＢインクセットについては、赤、緑および青の２つの値：ＲＧＢインクからの値およびＣＭＹインクの混合物から得られた値を使用した。
【００９７】
2007534802.tif 000014
【００９８】
単独で使用したＲＧＢインクセットは比較的小さい色域体積を有する。これは、色が減法的よりもむしろ加法的に混ざり、それ故に混合メカニズムが主として減法的であるインクに使用された時にそれらが低い彩度値の濁った中間色合いを形成するからである。しかしながら、ＲＧＢインクがＣＭＹインクと併せて使用される時に色域体積はＣＭＹＫ色域体積よりもはるかに大きい。
【００９９】
ＣＭＹ染料濃度を約２〜６％で変えても、ＣＹＭＲＧＢ色域体積を実質的に変えなかった。ＲＧＢインクについての最適染料含有率は約５〜７重量％であるように思われる。
【０１００】
実施例３
次の表は、ＲＧＢインク用の赤、緑および青についての彩度値を、異なるＣＹＭインクセットを使用して得られる同じ二次色の彩度と比較して示す。これらの値を達成するために必要とされるインク体積（平方インチ当たりのマイクロリットル単位での）もまた書き留める。結果は、エプソン高級光沢写真用紙に印刷されたインクからである。平方インチ当たり印刷されたインクの体積は、既知面積のソリッドカラー・パッチの印刷前後に紙を量ることによって測定した。
【０１０１】
2007534802.tif 000015
【０１０２】
ＣＭＹセットＡはインク１、５および９であり、ＣＭＹセットＢはインク３、７および１１であり、ＣＭＹセットＣはインク４、８および１２であり、そしてＲＧＢセットはインク１５、１９および２３である。
【０１０３】
ＣＭＹインクの染料使用量を増やすと、二次色の彩度を上げることができるが、ＲＧＢインクでの直接印刷ほどにはるかにではない。また、ＣＹＭ二次色は２倍多いインク体積を使用する。ＣＭＹＲＧＢインクを含有する本発明インクセットは、より少ない総インク体積でより多い有彩色を達成することができる。
【０１０４】
実施例４
次の表は、増加する量のインクを使用して異なるエリアフィルでのエプソン高級光沢写真用紙上のコンポジット３色ブラックの光学密度を示す。ＣＭＹについてのコンポジットブラックはインク１、５および９を使用し、ＲＧＢはインク１５、１９および２３を使用する。ＲＧＢコンポジットブラックは、所与のインク使用量でＣＹＭよりもはるかに高い光学純度を有する。
【０１０５】
2007534802.tif 000016
【国際調査報告】
2007534802.tif 000017
2007534802.tif 000018